(57)【要約】【課題】クレセントの取付ネジで該クレセントと共にサッシ枠に容易に取り付けることができ、かつ、引き違い開閉式サッシを閉じ位置でロックしているクレセントを外部から解除することができないようにしたサッシの防犯用ロック装置を得ることにある。【解決手段】クレセント４を回動自在に軸支させたクレセント取付ベース３とストッパ取付用ベース１０とを共通の取付ネジＮで一方のサッシ縦枠１に共締め固定すると共に、ストッパ取付用ベース１０の折曲片部１０ｂに設けたストッパ差込穴１０ｃにストッパ部材１１を差し込み、このストッパ部材１１に鍵１２を掛けるように構成した。【選択図】　　　　図１
2004036316.tif 000002
【特許請求の範囲】
【請求項１】
引き違い開閉式のサッシを閉じ位置でロックするサッシの防犯用ロック装置において、
前記サッシの一方のサッシ枠にネジ止めされ、クレセントが回動可能に軸支されたクレセント取付ベースと、他方のサッシ枠に取り付けられ、サッシ閉位置で前記クレセントを掛止させるクレセント掛止部材と、前記クレセント取付ベースと共通の取付ネジで前記一方のサッシ枠に共締め固定され、前記クレセント掛止部材に掛止したクレセントの操作レバー上方に延出する折曲片部を一体に有し、該折曲片部にストッパ差込穴が設けられたストッパ取付用ベースと、前記ストッパ差込穴に上方から挿脱自在に差し込まれ、該差し込み時に前記折曲片部上に当接係合させる係合片部を有し、前記クレセントの掛止解除方向への回動を規制するストッパ部材と、このストッパ部材に設けられて前記折曲片部の下部で開口する施錠穴と、この施錠穴を介して前記ストッパ部材を前記ストッパ取付用ベースからの抜け止め方向に施錠する錠とを備えたことを特徴とするサッシの防犯用ロック装置。
【請求項２】
前記錠は南京錠からなり、この南京錠のフック状をなす錠桿がケース状のカバーで覆われ、該カバー内部には前記錠桿を引っ掛けるピンが設けられており、一方、前記ストッパ部材は略逆Ｕ字状に折曲されて片側片部に施錠穴が設けられたプレートからなり、そのストッパ部材の両側片部の間に前記カバーが嵌合されるようになっていることを特徴とする請求項１記載のサッシの防犯用ロック装置。
【請求項３】
引き違い開閉式のサッシを閉じ位置でロックするサッシの防犯用ロック装置において、
サッシ閉じ位置で互いに隣接するサッシ縦枠の近傍で一方のサッシ横枠に止着されるストッパ取付用ベースと、このストッパ取付用ベースに水平回動自在に軸支され、前記サッシ横枠から離れる方向の付勢力を有するストッパ部材とを備え、サッシ開動時に前記ストッパ部材を付勢力に抗して両サッシのサッシ横枠間に介入させ、サッシ閉じ位置で前記ストッパ部材を付勢力で変位させて該ストッパ部材の先端を他方のサッシ縦枠の側面に係合させて両サッシをロックするように構成したことを特徴とするサッシの防犯用ロック装置。
【請求項４】
ストッパ部材は、該ストッパ部材が取り付けられているサッシ横枠との間に介在させたスプリングで前記サッシ横枠から離れる方向に付勢されていることを特徴とする請求項３記載のサッシの防犯用ロック装置。
【請求項５】
ストッパ部材には、その先端側と反対方向に延びる爪片部が一体形成され、この爪片部とサッシ横枠との間に楔部材を介入させて前記ストッパ部材をサッシロック解除位置に保持するようになっていることを特徴とする請求項３または請求項４記載のサッシの防犯用ロック装置。
【発明の詳細な説明】
【０００１】
【発明の属する技術分野】
この発明は、引き違い開閉式サッシの防犯用ロック装置に関するものである。
【０００２】
【従来の技術】
一般に引き違い開閉式サッシの防犯用ロック装置として、サッシ閉じ位置で互いに隣接するサッシ縦枠のうち、一方のサッシ縦枠にクレセントを取り付け、他方のサッシ縦枠にクレセント掛止部材を取り付けることによる所謂クレセント構造のものは周知である。
かかるクレセント構造の防犯用ロック装置に加え、これとは別のロック手段をサッシ枠に取り付けて二重または三重の防犯用ロック装置とすることも既に知られている。
【０００３】
【発明が解決しようとする課題】
従来の引き違い開閉式サッシの防犯用ロック装置は以上のように構成されているので、一般的なクレセント構造のものでは、窓ガラスの一部を破ることでクレセントを外部から容易に解除することができ、このため、防犯性に乏しいという課題があった。また、クレセントに加え、これとは別のロック手段をサッシ枠に取り付ける場合、その取り付け用ネジ穴をサッシ枠に新たに加工しなければならないなど、前記別途ロック手段の取付作業が面倒で且つ素人では困難化するという課題があった。さらに、前記別途ロック手段の場合も、そのロックおよびロック解除を前記クレセントの場合と同様に人為的操作で行う構成となっているため、特にロック忘れが発生し易くなるという課題があった。
【０００４】
この発明は上記のような課題を解決するためになされたもので、クレセントの取付ネジでクレセントと共にサッシ枠に容易に取り付けることができ、しかも、引き違い開閉式サッシを全閉位置でロックしているクレセントを外部から解除しようとしても解除することができないサッシの防犯用ロック装置を提供することを目的とする。
【０００５】
また、この発明は、クレセントをさらに南京錠で施錠するが、その南京錠の錠桿がチェーンカッター等で切断される危惧がなく、防盗性をいっそう高めることができるサッシの防犯用ロック装置を提供することを目的とする。
【０００６】
また、この発明は、引き違い開閉式サッシを閉じ位置で自動的にロックすることができるサッシの防犯用ロック装置を提供することを目的とする。
【０００７】
さらに、この発明は、引き違い開閉式サッシを閉じ位置で自動的にロックできると共に、そのロック解除を容易に行うことができてサッシをスムーズに開くことができるサッシの防犯用ロック装置を提供することを目的とする。
【０００８】
【課題を解決するための手段】
この発明に係るサッシの防犯用ロック装置は、引き違い開閉式サッシの一方のサッシ枠にネジ止めされ、クレセントが回動可能に軸支されたクレセント取付ベースと、他方のサッシ枠に取り付けられ、サッシ閉位置で前記クレセントを掛止させるクレセント掛止部材と、前記クレセント取付ベースと共通のネジで前記一方のサッシ枠に共締め固着され、前記クレセント掛止部材に掛止したクレセントの操作レバー上方に延出する折曲片部を一体に有し、該折曲片部にストッパ差込穴が設けられたストッパ取付用ベースと、前記ストッパ差込穴に上方から挿脱自在に差し込まれ、該差し込み時に前記折曲片部上に当接係合させる係合片部を有し、前記クレセントの掛止解除方向への回動を規制するストッパ部材と、このストッパ部材に設けられて前記折曲片部の下部で開口する施錠穴と、この施錠穴を介して前記ストッパ部材を前記ストッパ取付用ベースからの抜け止め方向に施錠する錠とを備えたものである。
【０００９】
この発明に係るサッシの防犯用ロック装置は、前記錠が南京錠からなり、この南京錠のフック状をなす錠桿がケース状のカバーで覆われ、該カバー内部には前記錠桿を引っ掛けるピンが設けられており、一方、前記ストッパ部材は略逆Ｕ字状に折曲されて片側片部に施錠穴が設けられたプレートからなり、そのストッパ部材の両側片部の間に前記カバーが嵌合されるようになっているものである。
【００１０】
この発明に係るサッシの防犯用ロック装置は、引き違い開閉式サッシの閉じ位置で互いに隣接するサッシ縦枠の近傍で一方のサッシ横枠に止着されるストッパ取付用ベースと、このストッパ取付用ベースに水平回動自在に軸支され、前記サッシ横枠から離れる方向の付勢力を有するストッパ部材とを備え、サッシ開動時に前記ストッパ部材を付勢力に抗して両サッシのサッシ横枠間に介入させ、サッシ閉じ位置で前記ストッパ部材を付勢力で変位させて該ストッパ部材の先端を他方のサッシ縦枠の側面に係合させて両サッシをロックするように構成したものである。
【００１１】
この発明に係るサッシの防犯用ロック装置は、ストッパ部材が、該ストッパ部材が取り付けられているサッシ横枠との間に介在させたスプリングで前記サッシ横枠から離れる方向に付勢されているものである。
【００１２】
この発明に係るサッシの防犯用ロック装置は、ストッパ部材に、その先端側と反対方向に延びる爪片部が一体形成され、この爪片部とサッシ横枠との間に楔部材を介入させて前記ストッパ部材をサッシロック解除位置に保持するようになっているものである。
【００１３】
【発明の実施の形態】
以下、この発明の実施の一形態を説明する。
実施の形態１．
図１はこの発明の実施の形態１によるサッシの防犯用ロック装置を示す斜視図、図２は図１中のストッパ部材を示す斜視図、図３は図１中の南京錠ユニットを示す斜視図、図４は図１の南京錠取付部の断面図である。
図１において、１は引き違い開閉式サッシの一方のサッシ枠のサッシ縦枠、２は他方のサッシ枠のサッシ縦枠であり、これらのサッシ縦枠１，２はサッシ全閉位置で互いに隣接するようになっている。
【００１４】
３は前記一方のサッシ縦枠１にネジＮで取り付けられたクレセント取付ベースであり、このクレセント取付ベース３にはクレセント４が回動可能に軸支されており、そのクレセント４は操作レバー５を一体に有している。６は前記他方のサッシ縦枠２に取り付けられたフック状のクレセント掛止部材であり、このクレセント掛止部材６に前記クレセント４を回動掛止させることにより、両サッシが全閉位置でロックされるようになっている。
【００１５】
１０は前記一方のサッシ縦枠１とクレセント取付ベース３との間に介在させた金属製のストッパ取付用ベース、１０ａはそのストッパ取付用ベース１０の長手方向に設けられた上下２箇所の長穴である。この長穴１０ａを介して前記ストッパ取付用ベース１０が前記クレセント取付ベース３と共通の取付ネジＮで前記一方のサッシ縦枠１に対して前記クレセント取付ベース３とともに共締め固定されている。１０ｂは前記ストッパ取付用ベース１０の上端に折曲形成されてサッシ縦枠１から離れる方向に延出する折曲片部であり、この折曲片部１０ｂにはストッパ差込穴１０ｃが設けられている。ここで、前記ストッパ取付用ベース１０は、その上端の折曲片部１０ｂがクレセント４の操作レバー５による回動を許容する位置に保持されるように取り付けられている。なお、前記ストッパ取付用ベース１０は、その長穴１０ａによって前記折曲片部１０ｂの高さが調整可能となっているものである。
【００１６】
１１は略逆Ｕ字状に折曲形成された金属プレートからなるストッパ部材、１１ａはそのストッパ部材１１の上端屈曲片部、１１ｂ，１１ｃはその上端屈曲片部１１ａの両側端から垂下する両側垂下片部であり、その片側垂下片部１１ｂには図３に示すように施錠穴１１ｄが設けられている。かかるストッパ部材１１において、施錠穴１１ｄを有する片側垂下片部１１ｂは前記ストッパ取付用ベース１０のストッパ差込穴１０ｃに上方から差し込まれることにより、サッシロック状態のクレセント４の操作レバー５に沿った位置に垂下して当該クレセント４がロック解除方向に回動するのを前記片側垂下片部１１ｂで阻止するものである。また、その片側垂下片部１１ｂを前記ストッパ差込穴１０ｃに差し込んだ状態では、ストッパ部材１１の上端屈曲片部１１がストッパ取付用ベース１０の折曲片部１０ｂ上に当接支承される係合片部として機能し、かつ、その折曲片部１０ｂの下方位置に前記施錠穴１１ｄが保持されるようになっている。
【００１７】
１２は南京錠であり、この南京錠１２のフック状の錠桿１２ａ（図３，図４参照）をストッパ部材１１の施錠穴１１ｄに挿入することにより、前記ストッパ差込穴１０ｃに片側垂下片部１１ｂが差し込まれたストッパ部材１１をストッパ取付用ベース１０上端の折曲片部１０ｂからの抜け止め方向に施錠するものである。
【００１８】
１３は南京錠１２の錠桿１２ａを覆って当該錠桿１２ａがチェーンカッター等で切断されるのを防止する金属製のカバーであり、このカバー１３は図３に示すように一側面が開口したケース状に形成され、その開口端には切欠段部１３ａと側部突片１３ｂが一体形成されている。ここで、前記切欠段部１３ａは、図１に示すようにストッパ部材１１の一側端縁部に当接させることにより、ストッパ部材１１の片側垂下片部１１ｂの内側で南京錠１２の錠桿１２が施錠穴１１ｄに挿入可能な位置に位置決めされるようになっている。また、前記側部突片１３ｂは、ストッパ部材１１の片側垂下片部１１ｂと南京錠１２の本体（ボディ）との間を覆うようになっている。
【００１９】
１４は前記カバー１３内に一体に設けられたピンであり、このピン１４に前記錠桿１２ａを引っ掛けることにより、その錠桿１２ａのほぼ全体を前記カバー１３で覆うようになっている。すなわち、南京錠１２の解錠状態の錠桿１２ａをケース状のカバー１３内に挿入しながら当該カバー１３内のピン１４に引っ掛けることで、南京錠１２にカバー１３がユニット化されるものである。かかるカバー１３は、前記ストッパ部材１１の両側垂下片部１１ｂ，１１ｃ間に嵌合可能な全体形状に形成され、該嵌合位置で片側垂下片部１１ｂの施錠穴１１ｄに、その片側垂下片部１１ｂの内側から前記錠桿１２ａを挿入することで南京錠１２の施錠を可能とするものである。
【００２０】
次に動作について説明する。
引き違い開閉式サッシのロックに際しては、まず、サッシ全閉位置でクレセント４をクレセント掛止部材５に掛止させた後、ストッパ取付用ベース１０のストッパ差込穴１０ｃに上方からストッパ部材１１の片側垂下片部１１ｂを差し込むことにより、その片側垂下片部１１ｂをクレセント４の操作レバー５に沿った位置（クレセント４の掛止解除方向への回動を規制する位置）に垂下させる。次いで、南京錠１２にユニット化されたカバー１３を、前記ストッパ取付用ベース１０の下方にて前記ストッパ部材１１の両側垂下片部１１ｂ，１１ｃ間に嵌合させる。この場合、南京錠１２は解錠状態としておき、かつ、カバー１３の切欠段部１３ａをストッパ部材１１の一側端縁部に当接させることにより、南京錠１２の錠桿１２が施錠穴１１ｄに挿入可能な位置に位置決めされる。そこで、ストッパ部材１１の施錠穴１１ｄに錠桿１２ａを挿入して南京錠１２を施錠する。
【００２１】
このようにして、クレセント掛止部材６に掛止したクレセント４が、ストッパ部材１１と南京錠１２とによって更にロックされることにより、その南京錠１２を外してストッパ部材１１を抜き取られない限りクレセント４を回そうとしても回らないため、防犯性が向上する。また、上述のようなロック状態では、南京錠１２の錠桿１２ａが金属製のカバー１３で覆われているため、その錠桿１２ａをチェーンカッター等で切断しようとしても切断することができず、このため、防盗性がさらに向上する。
【００２２】
また、ロック解除に際しては、南京錠１２をキー１５で施錠解除し、その錠桿１２ａを施錠穴１１ｄから抜いた後、ストッパ部材１１の両側垂下片部１１ｂ，１１ｃ間からカバー１３を取り外せば、ストッパ部材１１を抜き取ることができ、その抜き取り後にクレセント４を掛止解除方向に回動させることにより、サッシを開放することができる。
【００２３】
以上説明した実施の形態１によれば、クレセント４を回動自在に軸支させたクレセント取付ベース３とストッパ取付用ベース１０とを共通のネジＮで一方のサッシ縦枠１に共締め固定するように構成したので、そのサッシ縦枠１に前記ストッパ取付用ベース１０を取り付けるためのネジ穴を前記サッシ枠１に新たに加工する必要がなく、ドライバー１本で前記ストッパ取付用ベース１０をクレセント取付ベース３と共にサッシ縦枠１に容易に取り付けることができるという効果がある。また、前記ストッパ取付用ベース１０の折曲片部１０ｂに設けられたストッパ差込穴１０ｃにストッパ部材１１を上方から差し込み、該ストッパ部材１１の施錠穴１１ｄに南京錠１２の錠桿１２ａを挿入して施錠するだけで、引き違い開閉式サッシを閉じ位置でロックしているクレセント４のロック解除方向への回動を確実に規制することができ、このため、防犯性が向上するという効果がある。しかも、南京錠１２の錠桿１２ａが金属製のカバー１３で覆われているので、施錠状態の前記錠桿１２ａをチェーンカッター等で切断しようとしても切断することができず、このため、防盗性がいっそう向上するという効果がある。
【００２４】
実施の形態２．
図５はこの発明の実施の形態２によるサッシの防犯用ロック装置を示す平面図、図６は図５の斜視図、図７は図６の反対側から見た斜視図である。
図５〜図７において、２０は平板状のストッパ取付用ベース、２１はそのストッパ取付用ベース２０の一端部に基端部が水平回動自在に取り付けられたストッパ部材であり、このストッパ部材２１の基端部には、該ストッパ部材２１の先端側と反対方向に延びる爪片部２１ａが一体形成され、この爪片部２１ａは前記ストッパ取付用ベース２０の表面に対して当接・離間するようになっている。２２は前記ストッパ取付用ベース２０の裏面側に配置されたスプリングであり、このスプリング２２は一端部が前記ストッパ取付用ベース２０とストッパ部材２１との連結部に支持されている。２３は前記ストッパ取付用ベース２０の裏面に貼着した両面接着テープである。
【００２５】
図８（ａ）から図８（ｃ）は上記実施の形態２によるサッシの防犯用ロック装置の動作説明図である。同図に示すように、前記ストッパ取付用ベース２０は裏面の両面接着テープ２３により一方のサッシのサッシ横枠１ａの側面（室内側の側面）に貼着して取り付けられている。この取り付け状態において、前記サッシ横枠１ａと前記ストッパ部材２１との間にスプリング２２を圧縮介在させ、このスプリング２２によって前記ストッパ部材２１を前記サッシ横枠１ａから離れる方向に付勢している。すなわち、引き違い開閉式サッシの全閉位置（図８（ａ）参照）では、前記一方のサッシ横枠１ａに取り付けられたストッパ部材２１がスプリング２２の付勢力で図８（ａ）に示すように他方のサッシ縦枠２の外側面に当接係合する位置に変位するようになっている。
【００２６】
次に動作について説明する。
図８（ａ）に示すように、引き違い開閉式サッシが全閉位置でストッパ部材２１でロックされた状態からサッシを開く場合、前記ストッパ部材２１をスプリング２２の付勢力に抗する方向（矢印方向）に押圧することによって、前記ストッパ部材２１と他方のサッシ縦枠２との係合を解除することで、図８（ｂ）および図８（ｃ）に示すようにサッシを通常の通り開くことができる。
【００２７】
このようなサッシの開放状態から該サッシを全閉位置まで閉めると、その全閉位置では、他方のサッシ縦枠２が一方のサッシ横枠１ａ側の前記ストッパ部材２１を通過することにより、該ストッパ部材２１がスプリング２２の付勢力で前記他方のサッシ縦枠２との係合位置に飛び出すことにより、両サッシが全閉位置で自動的にロックされる。
【００２８】
以上説明した実施の形態２によれば、ストッパ取付用ベース２０を両面接着テープ２３で一方のサッシ横枠１ａに貼着するだけで簡単に取り付けることができ、しかも、サッシを全閉するだけで該サッシを自動的にロックすることができ、格別のロック操作を必要としないため、サッシのロック忘れが生じるようなこともなく、防犯性が向上するという効果がある。
【００２９】
実施の形態３．
図９はこの発明の実施の形態３によるサッシの防犯用ロック装置を示す斜視図であり、図５から図８と同一部分には同一符号を付して重複説明を省略する。
図９において、３０はストッパ取付用ベース２０とストッパ部材２１の爪片部２１ａとの間に介在させる楔部材、３０ａはその楔部材３０の膨出基部であり、この膨出基部３０にはサッシ開放時に前記ストッパ取付用ベース２０とすれ違うサッシ枠を係合させて楔部材３０を抜き取るものである。
【００３０】
３１は楔部材３０に一端が連結された繋ぎ鎖、３２はその繋ぎ鎖３１の他端に取り付けられた連結環、３３は他方のサッシ縦枠２に取り付けられたフック部材であり、このフック部材３３に前記連結環３２を嵌込保持させている。なお、前記繋ぎ腐り３１は楔部材３０と反対側の端部を前記他方のサッシ縦枠２にネジ止めするようにしてもよい。
【００３１】
すなわち、この実施の形態３では、上記実施の形態２による防犯ロック装置におけるストッパ取付用ベース２０とストッパ部材２１の爪片部２１ａとの間に楔部材３０を介入させることにより、前記ストッパ部材２１をスプリング２２の付勢力に抗したサッシロック解除位置に保持させるように構成したものである。従って、この実施の形態３によれば、サッシ開放時にストッパ部材２１をスプリング２２に抗したサッシロック解除位置に押圧しながらサッシを開く必要がなく、サッシの開放を容易に行うことができるという効果がある。
【００３２】
しかも、ストッパ取付用ベース２０とストッパ部材２１の爪片部２１ａとの間に介入させた楔部材３０は、その膨出基部３０ａがサッシ開放時のサッシ枠で押されることにより、前記ストッパ取付用ベース２０とストッパ部材２１の爪片部２１ａとの間より自動的に抜き取られるため、楔部材３０を人為的に取り外さなくともサッシを開放することができるという効果がある。
【００３３】
【発明の効果】
以上のように、この発明によれば、クレセントを回動自在に軸支させたクレセント取付ベースとストッパ取付用ベースとを共通の取付ネジ一方のサッシ縦枠に共締め固定するように構成したので、サッシ縦枠に前記ストッパ取付用ベース１０を取り付けるためのネジ穴を新たに加工する必要がなく、ドライバー１本で前記ストッパ取付用ベースをクレセント取付ベースと共にサッシ縦枠に容易に取り付けることができるという効果がある。しかも、前記ストッパ取付用ベースの折曲片部に設けられたストッパ差込穴にストッパ部材を上方から差し込み、該ストッパ部材の施錠穴に錠を掛けるだけで、引き違い開閉式サッシを閉じ位置でロックしているクレセントのロック解除方向への回動を確実に規制することができ、このため、防犯性が向上するという効果がある。
【００３４】
この発明によれば、前記錠が南京錠からなり、その錠桿をカバーで覆うように構成したので、施錠状態の南京錠の錠桿をチェーンカッター等で切断しようとしても切断することができず、このため、防盗性がいっそう向上するという効果がある。
【００３５】
この発明によれば、引き違い開閉式サッシの閉じ位置で互いに隣接するサッシ縦枠の近傍で一方のサッシ横枠に止着されるストッパ取付用ベースと、このストッパ取付用ベースに水平回動自在に軸支され、前記サッシ横枠から離れる方向の付勢力を有するストッパ部材とを備え、サッシ開動時に前記ストッパ部材を付勢力に抗して両サッシのサッシ横枠間に介入させ、サッシ閉じ位置で前記ストッパ部材を付勢力で変位させて該ストッパ部材の先端を他方のサッシ縦枠の側面に係合させて両サッシをロックするように構成したので、サッシを全閉位置まで閉じるだけで該サッシを自動的にロックすることができ、格別のロック操作を必要としないため、サッシのロック忘れが生じるようなこともなく、防犯性が向上するという効果がある。
【００３６】
この発明によれば、ストッパ部材が取り付けられたサッシ横枠と前記ストッパ部材との間に、前記ストッパ部材を前記サッシ横枠から離れる方向に付勢するスプリングを介在させるように構成したので、サッシ全閉位置では前記ストッパ部材をスプリングの付勢力でサッシロック位置に自動的に飛び出せることができるという効果がある。
【００３７】
この発明によれば、ストッパ部材に、その先端側と反対方向に延びる爪片部を一体形成し、この爪片部とサッシ横枠との間に楔部材を介入させて前記ストッパ部材をサッシロック解除位置に保持するように構成したので、サッシを容易かつスムーズに開放することができるという効果がある。
【図面の簡単な説明】
【図１】この発明の実施の形態１によるサッシの防犯用ロック装置を示す斜視図である。
【図２】図１中のストッパ部材を示す斜視図である。
【図３】図１中の南京錠ユニットを示す斜視図である。
【図４】図１の南京錠取付部の断面図である。
【図５】この発明の実施の形態２によるサッシの防犯用ロック装置を示す斜視図である。
【図６】図５の斜視図である。
【図７】図６の反対側から見た斜視図である。
【図８】図８（ａ）から図８（ｃ）は上記実施の形態２によるサッシの防犯用ロック装置の動作説明図である。
【図９】この発明の実施の形態３によるサッシの防犯用ロック装置を示す斜視図である。
【符号の説明】
１，２　サッシ縦枠
１ａ　サッシ横枠
３　クレセント取付ベース
４　クレセント
５　操作レバー
６　クレセント掛止部材
１０　ストッパ取付用ベース
１０ａ　長穴
１０ｂ　折曲片部
１０ｃ　ストッパ差込穴
１１　ストッパ部材
１１ａ　上端屈曲片部
１１ｂ，１１ｃ　垂下片部
１１ｄ　施錠穴
１２　南京錠
１２ａ　錠桿
１３　カバー
１３ａ　切欠段部
１３ｂ　側部突片部
１４　ピン
１５　キー
２０　ストッパ取付用ベース
２１　ストッパ部材
２１ａ　爪片部
２１ｂ　係合段部
２２　スプリング
２３　両面接着テープ
３０　楔部材
３０ａ　膨出基部
【図１】
2004036316.tif 000003
【図２】
2004036316.tif 000004
【図３】
2004036316.tif 000005
【図４】
2004036316.tif 000006
【図５】
2004036316.tif 000007
【図６】
2004036316.tif 000008
【図７】
2004036316.tif 000009
【図８】
2004036316.tif 000010
【図９】
2004036316.tif 000011